(57)【要約】【課題】携帯に好適な小型サイズのプリントを面倒なプリント指定を行うことなくプリントする。【解決手段】レンズ付きフイルムユニットの写真フイルムに小型サイズプリント指定情報を表すバーコードが付してある。現像済みの写真フイルムをプリントプロセサにセットすると、フイルムスキャナがプレスキャンする。バーコードを検出すると、スキャン密度を低密度に自動変更してから、本スキャンを行う。各撮影コマの画像データはデジタル化され、フレームメモリに記憶される。画像データと小型サイズプリント指定情報に基づいて、小型サイズプリントの長辺がカラーペーパーの幅と一致するように、プリントエリア内の画像データが所定のプリント倍率で拡大され、各小型サイズプリントが焼付露光される。カラーペーパーは、裏面にコマ番号が書き込まれた後、ペーパープロセサに送られ、現像処理される。カラーペーパーは各小型サイズプリント毎に切り離される。【選択図】        図４
2005091923.tif 000002
【特許請求の範囲】
【請求項１】
写真フイルムに記録されている小型サイズプリント指定情報を読み取って、前記写真フイルムに露光された各撮影コマを所定の小型サイズプリントにプリントすることを特徴とするプリント方法。
【請求項２】
前記小型サイズプリントは、前記撮影コマの画面のうちプリントされる範囲の対角線の長さをＬｆ（ｍｍ）とし、プリント倍率をσとしたとき、次の数式（１）を満たすサイズであることを特徴とする請求項１記載のプリント方法。
σ×Ｌｆ≦１４４（ｍｍ）  ・・・（１）
【請求項３】
前記小型サイズプリントは、前記撮影コマの画面のうちプリントされる範囲の対角線の長さをＬｆ（ｍｍ）とし、プリント倍率をσとしたとき、次の数式（２）を満たすサイズであることを特徴とする請求項１記載のプリント方法。
６０（ｍｍ）≦σ×Ｌｆ≦１４４（ｍｍ）  ・・・（２）
【請求項４】
前記写真フイルムは、前記小型サイズプリント指定情報が露光画面外に予め潜像として光学的に記録され、製造時にレンズ付きフイルムユニットに装填されたものであることを特徴とする請求項１ないし３いずれか記載のプリント方法。
【請求項５】
前記写真フイルムは、磁気記録層を備え、この磁気記録層に、前記小型サイズプリント指定情報が磁気記録され、製造時にレンズ付きフイルムユニットに装填されたものであることを特徴とする請求項１ないし３いずれか記載のプリント方法。
【請求項６】
前記写真フイルムは、製造時にレンズ付きフイルムユニットに装填され、前記小型サイズプリント指定情報は、前記レンズ付きフイルムユニットに設けられた操作部材の切替え操作によって、撮影コマ毎に、前記写真フイルムの撮影画面外に光学的に記録されるか、又は前記写真フイルムの磁気記録層に磁気記録されることを特徴とする請求項１ないし３いずれか記載のプリント方法。
【請求項７】
前記写真フイルムは、製造時にレンズ付きフイルムユニットに装填され、前記小型サイズプリント指定情報が画面内に記録された１個のコマを予め露光してあることを特徴とする請求項１ないし３いずれか記載のプリント方法。
【請求項８】
撮影レンズ，絞り，シャッタ装置，ファインダ等の撮影機構を備えたユニット本体に予め写真フイルムを装填し、前記ユニット本体の外周面を外装部材で覆ったレンズ付きフイルムユニットにおいて、
前記写真フイルム，前記外装部材，前記写真フイルムを収納するカートリッジの少なくともいずれかに、撮影コマを所定の小型サイズプリントにプリントすることを指定する小型サイズプリント指定情報を記録したことを特徴とするレンズ付きフイルムユニット。
【請求項９】
前記小型サイズプリントは、前記撮影コマの画面のうちプリントされる範囲の対角線の長さをＬｆ（ｍｍ）とし、プリント倍率をσとしたとき、次の数式（３）を満たすサイズであることを特徴とする請求項８記載のレンズ付きフイルムユニット。
σ×Ｌｆ≦１４４（ｍｍ）  ・・・（３）
【請求項１０】
前記小型サイズプリントは、前記撮影コマの画面のうちプリントされる範囲の対角線の長さをＬｆ（ｍｍ）とし、プリント倍率をσとしたとき、次の数式（４）を満たすサイズであることを特徴とする請求項８記載のレンズ付きフイルムユニット。
６０（ｍｍ）≦σ×Ｌｆ≦１４４（ｍｍ）  ・・・（４）
【請求項１１】
前記絞りの開放Ｆ値は、Ｆ１１以下であることを特徴とする請求項８ないし１０いずれか記載のレンズ付きフイルムユニット。
【請求項１２】
前記絞りの開放Ｆ値は、Ｆ４以上Ｆ８以下であることを特徴とする請求項８ないし１０いずれか記載のレンズ付きフイルムユニット。
【請求項１３】
前記シャッタ装置のシャッタ速度は、１／３０秒以上１／１００秒以下であることを特徴とする請求項８ないし１２いずれか記載のレンズ付きフイルムユニット。
【請求項１４】
前記写真フイルムの拡散ＲＭＳ粒状度は、最小濃度＋１．０で露光した写真フイルムを直径４８μｍの測定アパーチャでミクロ農度測定したとき、この測定値が５以上１４以下であることを特徴とする請求項８ないし１３いずれか記載のレンズ付きフイルムユニット。
【請求項１５】
前記写真フイルムの拡散ＲＭＳ粒状度は、最小濃度＋１．０で露光した写真フイルムを直径４８μｍの測定アパーチャでミクロ農度測定したとき、この測定値が７以上１０以下であることを特徴とする請求項８ないし１３いずれか記載のレンズ付きフイルムユニット。
【請求項１６】
前記写真フイルムは、ＩＳＯ１６００以上の感度を有することを特徴とする請求項８ないし１５いずれか記載のレンズ付きフイルムユニット。
【請求項１７】
ＧＮ１．５以上ＧＮ５．５以下のガイドナンバーを有するストロボ装置を設けたことを特徴とする請求項８ないし１６いずれか記載のレンズ付きフイルムユニット。
【発明の詳細な説明】
【技術分野】
【０００１】
本発明は、プリントプロセサ等に適用できるプリント方法及びそのためのレンズ付きフイルムユニットに関するものである。
【背景技術】
【０００２】
最近、手帳や定期入れなどに写真を入れて持ち歩く人が増えてきているが、従来の一般的なプリント写真は、Ｌサイズプリントと呼ばれる８９ｍｍ×１２７ｍｍのもので、大き過ぎるため、ユーザははさみで切るなどして適当な大きさに加工している。そこで、インスタントカメラの中には、携帯に好適なように、写真サイズをカードサイズ（８６ｍｍ×５４ｍｍ）にしたものがあり、好評を博している。
【０００３】
一方、本出願人は、写真フイルムに記録されたアスペクト比情報と疑似ズーム情報とを用いて、多様な写真プリントサービスを提供する写真画像プリントシステムを提案している（特許文献１）。
【０００４】
【特許文献１】特開２００１−３１２００５号公報
【発明の開示】
【発明が解決しようとする課題】
【０００５】
ところで、通常の写真フイルムから小型のプリント写真を提供するサービスを行っている写真店もあるが、ごく一部の店舗のサービスであり、また、その都度ユーザが写真店にプリント指定を行う必要があるとともに特別注文扱いとなって割高料金になるなど、誰でも手軽に享受できるサービスではないという問題点があった。
【０００６】
また、上記特許文献１のようなプリントシステムでは、ユーザが写真店にプリント指定を行う必要はないが、提供されるサービスは、アスペクト比と疑似ズームとの組み合わせによるバリエーションであって、プリントサイズについては考慮されていない。
【０００７】
本発明は、携帯に好適な小型サイズのプリントを面倒なプリント指定を行うことなくプリントできるプリント方法及びレンズ付きフイルムユニットを提供することを目的とする。
【課題を解決するための手段】
【０００８】
本発明のプリント方法は、写真フイルムに記録されている小型サイズプリント指定情報を読み取って、前記写真フイルムに露光された各撮影コマを所定の小型サイズプリントにプリントすることを特徴とする。
【０００９】
また、前記小型サイズプリントは、前記撮影コマの画面のうちプリントされる範囲の対角線の長さをＬｆ（ｍｍ）とし、プリント倍率をσとしたとき、次の数式（１）を満たすサイズであることを特徴とする。
σ×Ｌｆ≦１４４（ｍｍ）  ・・・（１）
【００１０】
また、前記小型サイズプリントは、前記撮影コマの画面のうちプリントされる範囲の対角線の長さをＬｆ（ｍｍ）とし、プリント倍率をσとしたとき、次の数式（２）を満たすサイズであることを特徴とする。
６０（ｍｍ）≦σ×Ｌｆ≦１４４（ｍｍ）  ・・・（２）
【００１１】
また、前記写真フイルムは、前記小型サイズプリント指定情報が露光画面外に予め潜像として光学的に記録され、製造時にレンズ付きフイルムユニットに装填されたものであることを特徴とする。
【００１２】
また、前記写真フイルムは、磁気記録層を備え、この磁気記録層に、前記小型サイズプリント指定情報が磁気記録され、製造時にレンズ付きフイルムユニットに装填されたものであることを特徴とする。
【００１３】
また、前記写真フイルムは、製造時にレンズ付きフイルムユニットに装填され、前記小型サイズプリント指定情報は、前記レンズ付きフイルムユニットに設けられた操作部材の切替え操作によって、撮影コマ毎に、前記写真フイルムの撮影画面外に光学的に記録されるか、又は前記写真フイルムの磁気記録層に磁気記録される。
【００１４】
また、前記写真フイルムは、製造時にレンズ付きフイルムユニットに装填され、前記小型サイズプリント指定情報が画面内に記録された１個のコマを予め露光してあることを特徴とする。
【００１５】
本発明のレンズ付きフイルムユニットは、撮影レンズ，絞り，シャッタ装置，ファインダ等の撮影機構を備えたユニット本体に予め写真フイルムを装填し、前記ユニット本体の外周面を外装部材で覆ったレンズ付きフイルムユニットにおいて、前記写真フイルム，前記外装部材，前記写真フイルムを収納するカートリッジの少なくともいずれかに、撮影コマを所定の小型サイズプリントにプリントすることを指定する小型サイズプリント指定情報を記録したことを特徴とする。
【００１６】
また、前記小型サイズプリントは、前記撮影コマの画面のうちプリントされる範囲の対角線の長さをＬｆ（ｍｍ）とし、プリント倍率をσとしたとき、次の数式（３）を満たすサイズであることを特徴とする。
σ×Ｌｆ≦１４４（ｍｍ）  ・・・（３）
【００１７】
また、前記小型サイズプリントは、前記撮影コマの画面のうちプリントされる範囲の対角線の長さをＬｆ（ｍｍ）とし、プリント倍率をσとしたとき、次の数式（４）を満たすサイズであることを特徴とする。
６０（ｍｍ）≦σ×Ｌｆ≦１４４（ｍｍ）  ・・・（４）
【００１８】
また、前記絞りの開放Ｆ値は、Ｆ１１以下であることを特徴とする。また、前記絞りの開放Ｆ値は、Ｆ４以上Ｆ８以下であることを特徴とする。また、前記シャッタ装置のシャッタ速度は、１／３０秒以上１／１００秒以下であることを特徴とする。
【００１９】
また、前記写真フイルムの拡散ＲＭＳ粒状度は、最小濃度＋１．０で露光した写真フイルムを直径４８μｍの測定アパーチャでミクロ農度測定したとき、この測定値が５以上１４以下であることを特徴とする。
【００２０】
また、前記写真フイルムの拡散ＲＭＳ粒状度は、最小濃度＋１．０で露光した写真フイルムを直径４８μｍの測定アパーチャでミクロ農度測定したとき、この測定値が７以上１０以下であることを特徴とする。
【００２１】
また、前記写真フイルムは、ＩＳＯ１６００以上の感度を有することを特徴とする。また、ＧＮ１．５以上ＧＮ５．５以下のガイドナンバーを有するストロボ装置を設けたことを特徴とする。
【発明の効果】
【００２２】
本発明のプリント方法は、写真フイルムに記録されている小型サイズプリント指定情報を読み取って、前記写真フイルムに露光された各撮影コマを所定の小型サイズプリントにプリントするので、携帯に好適な小型サイズのプリントを面倒なプリント指定を行うことなくプリントできる。
【００２３】
また、前記小型サイズプリントは、前記撮影コマの画面のうちプリントされる範囲の対角線の長さをＬｆ（ｍｍ）とし、プリント倍率をσとしたとき、次の数式（１）を満たすサイズであるから、携帯に好適な小型サイズのプリントを面倒なプリント指定を行うことなくプリントできる。
σ×Ｌｆ≦１４４（ｍｍ）  ・・・（１）
【００２４】
また、前記小型サイズプリントは、前記撮影コマの画面のうちプリントされる範囲の対角線の長さをＬｆ（ｍｍ）とし、プリント倍率をσとしたとき、次の数式（２）を満たすサイズであるから、携帯に好適な小型サイズのプリントを面倒なプリント指定を行うことなくプリントできる。
６０（ｍｍ）≦σ×Ｌｆ≦１４４（ｍｍ）  ・・・（２）
【００２５】
また、前記写真フイルムは、前記小型サイズプリント指定情報が露光画面外に予め潜像として光学的に記録され、製造時にレンズ付きフイルムユニットに装填されたものであるから、携帯に好適な小型サイズのプリントを面倒なプリント指定を行うことなくプリントできる。
【００２６】
また、前記写真フイルムは、磁気記録層を備え、この磁気記録層に、前記小型サイズプリント指定情報が磁気記録され、製造時にレンズ付きフイルムユニットに装填されたものであるから、携帯に好適な小型サイズのプリントを面倒なプリント指定を行うことなくプリントできる。
【００２７】
また、前記写真フイルムは、製造時にレンズ付きフイルムユニットに装填され、前記小型サイズプリント指定情報は、前記レンズ付きフイルムユニットに設けられた操作部材の切替え操作によって、撮影コマ毎に、前記写真フイルムの撮影画面外に光学的に記録されるか、又は前記写真フイルムの磁気記録層に磁気記録されるから、携帯に好適な小型サイズのプリントを面倒なプリント指定を行うことなくプリントできる。
【００２８】
また、前記写真フイルムは、製造時にレンズ付きフイルムユニットに装填され、前記小型サイズプリント指定情報が画面内に記録された１個のコマを予め露光してあるから、携帯に好適な小型サイズのプリントを面倒なプリント指定を行うことなくプリントできる。
【００２９】
本発明のレンズ付きフイルムユニットは、撮影レンズ，絞り，シャッタ装置，ファインダ等の撮影機構を備えたユニット本体に予め写真フイルムを装填し、前記ユニット本体の外周面を外装部材で覆ったレンズ付きフイルムユニットにおいて、前記写真フイルム，前記外装部材，前記写真フイルムを収納するカートリッジの少なくともいずれかに、撮影コマを所定の小型サイズプリントにプリントすることを指定する小型サイズプリント指定情報を記録したので、携帯に好適な小型サイズのプリントを面倒なプリント指定を行うことなくプリントできる。
【００３０】
また、前記小型サイズプリントは、前記撮影コマの画面のうちプリントされる範囲の対角線の長さをＬｆ（ｍｍ）とし、プリント倍率をσとしたとき、次の数式（３）を満たすサイズであるから、携帯に好適な小型サイズのプリントを面倒なプリント指定を行うことなくプリントできる。
σ×Ｌｆ≦１４４（ｍｍ）  ・・・（３）
【００３１】
また、前記小型サイズプリントは、前記撮影コマの画面のうちプリントされる範囲の対角線の長さをＬｆ（ｍｍ）とし、プリント倍率をσとしたとき、次の数式（４）を満たすサイズであるから、携帯に好適な小型サイズのプリントを面倒なプリント指定を行うことなくプリントできる。
６０（ｍｍ）≦σ×Ｌｆ≦１４４（ｍｍ）  ・・・（４）
【００３２】
また、前記絞りの開放Ｆ値は、Ｆ１１以下とすることが好ましい。更には、前記絞りの開放Ｆ値は、Ｆ４以上Ｆ８以下であることが好ましい。これにより、背景描写をより向上できる。また、前記シャッタ装置のシャッタ速度は、１／３０秒以上１／１００秒以下であることが好ましい。これにより、背景描写をより向上できる。
【００３３】
また、前記写真フイルムの拡散ＲＭＳ粒状度は、最小濃度＋１．０で露光した写真フイルムを直径４８μｍの測定アパーチャでミクロ農度測定したとき、この測定値が５以上１４以下であることが好ましい。
【００３４】
更に、前記写真フイルムの拡散ＲＭＳ粒状度は、最小濃度＋１．０で露光した写真フイルムを直径４８μｍの測定アパーチャでミクロ農度測定したとき、この測定値が７以上１０以下であることが好ましい。これにより、同じ感度の写真フイルムを作るために必要な銀量が少なくて済み、レンズ付きフイルムユニットの製造コストを下げることができる。また、同じ銀量を用いた場合には、写真フイルムの感度を上げることができる。
【００３５】
また、前記写真フイルムは、ＩＳＯ１６００以上の感度を有することが好ましい。また、ＧＮ１．５以上ＧＮ５．５以下のガイドナンバーを有するストロボ装置を設けることが好ましい。これにより、主要被写体と背景との光量バランスをより自然な写りで撮影できる。
【発明を実施するための最良の形態】
【００３６】
本発明の第１実施形態であるプリンタプロセサを示す図１において、プリンタプロセサ１０は、フイルムスキャナ１１，コントローラ１２，デジタルプリンタ１３，ペーパープロセサ１４及びペーパーカッタ１５から構成されている。更に、フイルムスキャナ１１には、モニタ１６，キーボード１７が接続され、また、コントローラ１２には、ハードディスク（ＨＤ）１８が接続されている。
【００３７】
フイルムスキャナ１１は、小型サイズプリント専用のレンズ付きフイルムユニットで使用された現像済みの写真フイルムカートリッジ２０をセットする。この写真フイルムカートリッジ２０には、図２に示すようなＩＸ２４０タイプの写真フイルム２２が収納されている。この写真フイルム２２には、予め製造時に撮影コマ２４毎に１個ずつのバーコード２５が潜像記録されており、現像によって目視可能に現れる。このバーコード２５は、小型サイズプリントでのプリント指定情報（以下小型サイズプリント指定情報という）を表している。
【００３８】
小型サイズプリントについて、説明する。ＩＸ２４０タイプの写真フイルム２２の撮影コマ２４のサイズは、ｄ１（３０．２ｍｍ）×ｄ２（１６．７ｍｍ）であるが、実際にプリントされるプリントエリア２６のサイズは、Ｃサイズの場合、ｄ３（２２．３ｍｍ）×ｄ４（１５．６ｍｍ）である。このプリントエリア２６を、Ｃサイズの場合、プリント倍率４．０２でプリントすると、図３に示すように、面積がＬサイズプリントの半分であるＤ１（８９ｍｍ）×Ｄ２（６３．５ｍｍ）の小型サイズプリント２８となる。すなわち、小型サイズプリント２８は、この長辺２８ａが、デジタルプリンタ１３で用いられる長尺のカラーペーパー３０の幅と一致するように決めてある。
【００３９】
プリントエリア２６の対角線をＬｆ、小型サイズプリント２８の対角線をＬｐとすると、プリント倍率σは、次の数式（５）で表すことができる。
σ＝Ｌｐ／Ｌｆ  ・・・（５）
そして、小型サイズプリント２８は、次の数式（６）を満たすものとする。
σ×Ｌｆ≦１４４（ｍｍ）  ・・・（６）
更に、望ましくは、次の数式（７）を満たすものとする。前記数式（６），（７）を小型サイズプリント２８の特徴式という。
６０（ｍｍ）≦σ×Ｌｆ≦１４４（ｍｍ）  ・・・（７）
【００４０】
例えば、１３５タイプの写真フイルムからＬサイズ，１／２Ｌサイズ，１／４Ｌサイズにそれぞれプリントした場合について、小型サイズプリント２８の対角線Ｌｐ（＝σ×Ｌｆ）の値を次の表１に示す。
【００４１】
【表１】
2005091923.tif 000003
【００４２】
この表１から明らかなように、小型サイズプリント２８の対角線Ｌｐの値が１４４ｍｍより大きいと、従来のＬサイズプリントと大差ない大きさとなり、持ち運びに便利とは言えなくなる。また、対角線Ｌｐの値が６０ｍｍより小さくなると、画面の大きさが小さくなり過ぎて、写真画像（ネガ像をプリントした画像）が鑑賞しにくくなる。
【００４３】
小型サイズプリント２８のプリントを行う時には、フイルムスキャナ１１でのスキャン密度が粗くてもその粗さが目立たないから、例えば通常は１２００ｄｐｉでスキャニングするところ、６００ｄｐｉでスキャニングする。この結果、スキャニング時間を短縮でき、プリント時間のスピードアップに貢献できる。
【００４４】
次に本実施形態の作用について、図４に示すフローチャートに従って説明する。まず、撮影済みのレンズ付きフイルムユニットから写真フイルムカートリッジ２０を取り出して自動現像機にセットし、写真フイルム２２の現像処理を行う（ｓｔ１）。現像処理が終了すると、写真フイルム２２は、写真フイルムカートリッジ２０に巻き戻される。次に、この現像済みの写真フイルム２２を収納した写真フイルムカートリッジ２０をプリントプロセサ１０のフイルムスキャナ１１にセットする（ｓｔ２）。
【００４５】
フイルムスキャナ１１は、写真フイルムカートリッジ２０から写真フイルム２２を引き出しながら、各撮影コマ２４のプレスキャンを行う（ｓｔ３）。フイルムスキャナ１１は、バーコード２５を検出すると、スキャン密度を通常の１２００ｄｐｉから６００ｄｐｉに自動変更してから（ｓｔ４）、本スキャンを行う（ｓｔ５）。スキャン密度が６００ｄｐｉと粗いため、スキャンスピードが速くなり、短時間で写真フイルム２２のスキャニングを終了できる。この時、各撮影コマ２４の画像の他、各撮影コマ２４のコマ番号データもスキャニングされる。
【００４６】
各撮影コマ２４の画像データは、対数変換やＡ／Ｄ変換されてデジタル化され、これが内蔵するフレームメモリに赤色（Ｒ），緑色（Ｇ），青色（Ｂ）の各色毎に記憶される（ｓｔ６）。そして、フレームメモリから読み出された各色の画像データに基づいてモニタ１６に表示される。オペレータは、これを見て、補正が必要な画像に対してはキーボード１７により補正量を入力する。
【００４７】
各撮影コマ２４から読み取られた画像データ，バーコードデータ（小型サイズプリント指定情報）及びコマ番号データは、フイルムスキャナ１１のフレームメモリから読み出され、コントローラ１２を介してハードディスク（ＨＤ）１８の画像ファイルに各コマの記録順に記録される。次に、コントローラ１２は、ハードディスク１８の画像記憶ファイルから画像データ，バーコードデータ及びコマ番号データを読み出して、これをデジタルプリンタ１３に送る（ｓｔ７）。
【００４８】
デジタルプリンタ１３は、コントローラ１２からの画像データと小型サイズプリント指定情報に基づいて、小型サイズプリント２８の長辺２８ａがカラーペーパー３０の幅と一致するように、プリントエリア２６内の画像データを倍率σ（＝４．０２）で拡大して、レーザー光による走査露光方式でカラーペーパー３０の乳剤面に各小型サイズプリント２８を順次に焼付露光する（ｓｔ８）。この各小型サイズプリント２８の境界の端には、後で各小型サイズプリント２８を切り離すためのカットマークがパンチャによって形成される。
【００４９】
また、デジタルプリンタ１３には、インクジェット方式の印字機が設けられており、この印字機がコマ番号データに基づいて、カラーペーパー３０の裏面に各小型サイズプリント２８のコマ番号を書き込む（ｓｔ９）。このコマ番号は、複数枚の小型サイズプリント２８を跨がないように、各小型サイズプリント２８のプリント位置に正確に印字される。焼付露光済みのカラーペーパー３０は、周知のペーパープロセサ１４に送られ、ここで現像処理される（ｓｔ１０）。
【００５０】
カラーペーパー３０はペーパーカッター１５にセットされる。カラーペーパー３０に形成されたカットマークが、カットマークセンサによって検出され、カッタ刃が駆動され、各小型サイズプリント２８の境界で切り離される（ｓｔ１１）。各小型サイズプリント２８はソーター部に送られ、各件毎に１まとまりにされる（ｓｔ１２）。
【００５１】
ペーパーカッター１５は、各小型サイズプリント２８の境界をカットできるように、小型サイズプリント２８に対応した仕様になっているから、小型サイズプリント２８を１枚ずつ切り離すことができる。なお、現行仕様のペーパーカッターをそのまま用いる場合には、小型サイズプリント２８が２枚ずつ繋がったＬサイズプリントの状態で切り離し、後で、その真中を人手によってカットするようにする。
【００５２】
上記実施形態では、小型サイズプリント専用のレンズ付きフイルムユニットに使用された写真フイルムを用いたが、フイルム交換可能なＩＸ２４０タイプのカメラに装填された小型サイズプリント専用の写真フイルムでもよい。この場合、ＩＸ２４０タイプの写真フイルムに予め設けられている磁気記録層に、小型サイズプリント指定情報を磁気記録するのが好ましい。また、１３５タイプの写真フイルムの場合には、上記のようなバーコードや光学マークを記録することにより、小型サイズプリントの指定を行うことができる。
【００５３】
また、図５に示すように、ＩＸ２４０タイプの写真フイルム３５の第１コマ３６に、この写真フイルム３５のプリント指定が小型サイズプリントであることを示すバーコード３７と、プリント指定画像（本実施形態では、「小型サイズプリント」の文字）３８を予め潜像として露光しておいてもよい。撮影及び現像が終了した写真フイルム３５を、前記プリントプロセサ１０にセットして、第１コマ３６のバーコード３７を読み込ませれば、自動的に写真フイルム３５の全撮影コマを小型サイズプリントに焼き付けることができる。また、オペレータがプリント指定画像３８を目視で確認して、プリントプロセサのプリントサイズ指定を行ってもよい。なお、符号３９はカートリッジ本体を示す。
【００５４】
また、上記実施形態では、幅８９ｍｍのカラーペーパー３０を用いたが、図６に示すように、幅１２７ｍｍのカラーペーパー４０を縦方向に２分割して、カラーペーパー４０の幅方向に２枚ずつ小型サイズプリント４１，４２を焼き付けてもよい。この場合、通常のプリントプロセサの制御では、裏面の印字が小型サイズプリント４１，４２の両方に跨がる不都合が生じるが、例えばインクジェットヘッドをＸ−Ｙ制御するなど、小型サイズプリント４１，４２のそれぞれの領域に正確に印字されるように制御する。
【００５５】
次に、本発明のレンズ付きフイルムユニットを示す図７において、レンズ付きフイルムユニット４５は、撮影機構を備え、予め写真フイルムを装填したユニット本体４６と、これをのり巻き状に覆う外装部材としての外装ラベル４７とから構成されている。この外装ラベル４７の表面に、小型サイズプリント専用のレンズ付きフイルムユニットである旨を示す「小型サイズプリント専用」の文字４８及びバーコード４９が印刷されている。
【００５６】
ユニット本体４６の前部には、撮影レンズ５１，ファインダ窓５２の他、ストロボ発光部５３，ストロボ充電ボタン５４が設けられ、上部には、シャッタボタン５５，フイルムカウンタ窓５６、また背面部には巻上げノブ５７が設けられている。
【００５７】
図８に示すように、ユニット本体４６は、前カバー６１、本体基部６２、露光ユニット６３、ストロボユニット６４、写真フイルムカートリッジ６５、及び後カバー６６により構成されている。写真フイルムカートリッジ６５は、写真フイルム６７と、これをロール状に収納するカートリッジ本体６８とからなる。写真フイルム６７の各コマ毎にバーコード６９が潜像記録されているとともに、カートリッジ本体６８の周面に貼着されたラベル７１の表面にバーコード７２が印刷されている。前記バーコード６９，７２のいずれにも小型サイズプリント指定情報を含む種々のプリント情報が記録されている。
【００５８】
また、図９に示すように、焦点距離ｆ＝３２ｍｍ，ピントセット距離＝５ｍｍとすると、距離１ｍの場合、実線Ｐで示す絞りＦ１０では、錯乱円経はフイルム上で０．０９ｍｍ、Ｌサイズプリント上で０．３６ｍｍとなる。また、破線Ｑで示す絞りＦ５．６では、錯乱円経はフイルム上で０．１３ｍｍ、Ｌサイズプリント上で０．５１ｍｍであるが、例えば、面積がＬサイズの半分の小型サイズプリント上で０．３６ｍｍとなる。すなわち、絞りＦ５．６での小型サイズプリントの画質は、絞りＦ１０でのＬサイズプリントと同等になる。したがって、撮影レンズ５１の背後に設けてある絞り７３をＦ５．６とし、パンフォーカスをほぼ維持しながら、背景の描写性を向上させている。
【００５９】
また、同様の理由により、手振れや被写体ブレによボケが目立たなくなるから、シャッタ速度を遅くすることができる。このため、従来のレンズ付きフイルムユニットでは、シャッタ速度が１／１２０秒〜１／１００秒であったところ、本発明のレンズ付きフイルムユニット４５では、１／１００秒〜１／３０秒とすることができ、本実施形態では、１／６０秒とした。これにより、背景描写性が向上した。
【００６０】
また、写真フイルムの粒状も目立たなくなるので、写真フイルム６７として粒状性が比較的低い写真フイルムを用いることができる。これにより、同じ感度の写真フイルムを作るために必要な銀量が少なくて済み、レンズ付きフイルムユニットの製造コストを下げることができる。また、同じ銀量を用いた場合には、写真フイルムの感度を上げることができる。本実施形態では、最小濃度＋１．０で露光した写真フイルム６７を直径４８μｍの測定アパーチャでミクロ農度測定した拡散ＲＭＳ粒状度は、ＩＳＯ３２００でＲＭＳ９としている。なお、拡散ＲＭＳ粒状度は、ＲＭＳ５〜１４が好ましく、更に好ましくは、ＲＭＳ７〜１０である。
【００６１】
また、更にストロボのガイドナンバーを小さくすることができるから、主要被写体と背景との光量バランスがより自然な写りになる。本実施形態では、絞りＦ５．６，フイルム感度ＩＳＯ３２００で、ストロボ装置のガイドナンバーをＧＮ２．６としている。なお、絞りＦ４，フイルム感度ＩＳＯ３２００，ストロボ到達距離４ｍのときに必要なガイドナンバーはＧＮ１．５であり、絞りＦ８，フイルム感度ＩＳＯ１６００，ストロボ到達距離５ｍのときに必要なガイドナンバーはＧＮ５．２であるから、ストロボのガイドナンバーは、ＧＮ１．５〜ＧＮ５．５とすることが好ましい。
【００６２】
ユーザは、一般のレンズ付きフイルムユニットと全く同様に、レンズ付きフイルムユニット４５を用いて撮影を行い、全ての撮影を終了した後、ＤＰＥ取扱店に提出する。この時、店員にプリントサイズの指示を与える必要はない。ＤＰＥ取扱店では、店員が外装ラベル４７上の文字４８を見て、プリントサイズ指定が小型サイズプリントであることを確認する。店員は、バーコード４９をハンディスキャナ等を用いて読み取り、プリントプロセサ１０に入力するか、プリントプロセサ１０のキーボード１７で手入力する。
【００６３】
レンズ付きフイルムユニット４５を分解して、中から写真フイルムカートリッジ６５を取り出し、自動現像機にセットして現像処理を行う。この後、現像済みの写真フイルム６７をプリントプロセサ１０にセットすれば、各撮影コマは自動的に小型サイズプリントに焼き付けられ、ユーザに返却される。なお、店員が小型サイズプリントのプリントサイズ指定を行わなかった場合でも、前記プリントプロセサ１０は、写真フイルム６７のバーコード６９を自動的に読み取って小型サイズプリント焼付を行う。
【００６４】
次に、別のレンズ付きフイルムユニットを示す図１０において、レンズ付きフイルムユニット７５は、前部の下方に、小型サイズプリントとＬサイズプリントとを切り換えるプリントサイズ切換ノブ７６が左右方向に移動自在に設けてある。図１１に示すように、プリントサイズ切換ノブ７６には、アーム部７７を介して遮蔽板７８が設けられ、この遮蔽板７８が写真フイルム７９の縁部とＬＥＤ８０との間に配置されている。遮蔽板７８には、開口７８ａが形成されている。
【００６５】
プリントサイズ切換ノブ７６を左右に移動させると、ＬＥＤ８０から放出される光を開口７８ａが通してドット８２を写真フイルム７９の縁部に露光する小型サイズプリント位置と、ＬＥＤ８０から放出される光を遮蔽板７８が遮蔽するＬサイズプリント位置との間で移動される。ＬＥＤ８０は、シャッタボタン５５の下方に設けられた一対の電気接片８４のシャッタボタン５５の押下操作による短絡によって点灯する。ＬＥＤ８０の電源には、ストロボ用の電源電池が兼用される。
【００６６】
プリントサイズ切換ノブ７６を左端に移動して、シャッタボタン５５を押し下げると、撮影コマ７９ａが露光されると同時に、電気接片８４が短絡してＬＥＤ８０が点灯し、ＬＥＤ８０から発光した光が開口７８ａを通って写真フイルム７９の縁部にドット８２を露光する。前記プリントプロセサ１０は、ドット８２が露光された撮影コマ７９ａを小型サイズプリントに焼き付け、ドット８２が露光されていない撮影コマは、Ｌサイズプリントに焼き付ける。
【００６７】
以上説明した実施形態では、小型サイズプリントを８９ｍｍ幅のロール紙ペーパーに焼き付けたが、予め８９ｍｍ×６３．５ｍｍにカットしてあるシート状ペーパーに焼き付けてもよい。また、従来のＬサイズのシート状ペーパーに２枚の小型サイズプリントを焼き付けてもよい。また、６０ｍｍ≦σ×Ｌｆ≦１４４ｍｍを満たす小型サイズプリントを大きなサイズのシート状ペーパーに複数枚焼き付けてもよい。
【００６８】
また、前記バーコードには、小型サイズプリント指定情報の他に、例えばプリント倍率を指定する疑似ズーム情報や、コンベンション（Ｃ）サイズ，ハイビジョン（Ｈ）サイズ，パノラマ（Ｐ）サイズのプリントアスペクト比指定情報等の各種情報も含むようにしてもよい。
【００６９】
また、上記実施形態では、デジタルプリンタとして、カラーペーパーをレーザーにより露光するレーザープリンタを用いたが、この他に、ＬＥＤ方式、ＤＭＤ方式、ＭＬＶＡ方式、ＶＦＰＨ方式、ＣＲＴ方式、ＬＣＤ方式、インクジェット方式、サーマル方式、その他の方式のデジタルプリンタを用いてもよい。
【産業上の利用可能性】
【００７０】
本発明のプリント方法は、業務用のプリンタプロセサに適用される他に、一般家庭で使用されるフイルムスキャナとインクジェットプリンタとの組み合わせにも適用可能である。
【図面の簡単な説明】
【００７１】
【図１】本発明を適用したプリンタプロセサを示す概略図である。
【図２】本発明に係る写真フイルムを示す説明図である。
【図３】幅８９ｍｍのロール紙ペーパーに小型サイズプリントを焼き付けた例を示す説明図である。
【図４】プリンタプロセサの主なシーケンスを示すフローチャートである。
【図５】第１コマにバーコードを設けた写真フイルムを示す説明図である。
【図６】幅１２７ｍｍのロール紙ペーパーに小型サイズプリントを焼き付けた例を示す説明図である。
【図７】本発明の小型サイズプリント専用のレンズ付きフイルムユニットを示す外観斜視図である。
【図８】図７に示すレンズ付きフイルムユニットの分解斜視図である。
【図９】Ｆ５．６とＦ１０におけるフイルム上の錯乱円と撮影距離との関係を示すグラフである。
【図１０】小型サイズとＬサイズとを切換可能なレンズ付きフイルムユニットを示す外観斜視図である。
【図１１】図１０に示すレンズ付きフイルムユニットの主要な内部構成を示す説明図である。
【符号の説明】
【００７２】
１０  プリンタプロセサ
１１  フイルムスキャナ
１２  コントローラ
１３  デジタルプリンタ
１４  ペーパープロセサ
１５  ペーパーカッタ
２０，６５  写真フイルムカートリッジ
２２，３５，６７，７９  写真フイルム
２４，７９ａ  撮影コマ
２５，３７，４９，６９，７２  バーコード
２６  プリントエリア
２８，４１，４２  小型サイズプリント
３０，４０  カラーペーパー
３６  第１コマ
３８  プリント指定画像
４５，７５  レンズ付きフイルムユニット
４７  外装ラベル
４８  文字
５１  撮影レンズ
７３  絞り
７６  プリントサイズ切換ノブ
７８  遮蔽板
８０  ＬＥＤ
８２  ドット
【図１】
2005091923.tif 000004
【図２】
2005091923.tif 000005
【図３】
2005091923.tif 000006
【図４】
2005091923.tif 000007
【図５】
2005091923.tif 000008
【図６】
2005091923.tif 000009
【図７】
2005091923.tif 000010
【図８】
2005091923.tif 000011
【図９】
2005091923.tif 000012
【図１０】
2005091923.tif 000013
【図１１】
2005091923.tif 000014